【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
グラントフリー(GF)アップリンク(UL)送信に関してインクリメンタル冗長を使用するワイヤレス通信のための方法であって、
ユーザ機器(UE)によって、送信内で送信されるべきデータのいくつかの冗長バージョン(RV)のうちの1つを、前記送信の時間に基づいて決定するステップであって、
前記RVが、RVパターンから選択される値に基づいて決定される、ステップと、
前記UEによって、前記時間においてワイヤレス媒体を介して、前記決定されたRVの前記データを基地局に送信するステップであって、
前記RVパターンが、前のRRCシグナリングの中で前記UEと前記基地局の間で合意されており、
前記データの前記決定されたRVの初期送信が、前記RVパターンのうちのRVインデックス0で送信される、ステップと
を含む、方法。
【請求項２】
前記決定が、
前記時間と関連付けられた直交周波数分割多重化(OFDM)シンボルインデックス、
前記時間と関連付けられたミニスロットインデックス、または
前記時間と関連付けられたスロットインデックス
に基づく、請求項1に記載の方法。
【請求項３】
時間のRVへのマッピングを示す無線リソース制御(RRC)シグナリングを受信するステップ、または
時間のRVへのマッピングを示すレイヤ1(L1)シグナリングを受信するステップ
をさらに含む、請求項1に記載の方法。
【請求項４】
グラントフリー(GF)アップリンク(UL)送信に関してインクリメンタル冗長を使用するワイヤレス通信のための方法であって、
基地局により、ワイヤレス媒体を介してユーザ機器(UE)から送信を受信するステップと、
前記基地局により、前記送信内のデータのいくつかの冗長バージョン(RV)のうちの1つを、前記送信の時間に基づいて決定するステップであって、前記RVが、RVパターンから選択される値に基づいて決定される、ステップと、
前記基地局により、前記決定されたRVに基づいて前記送信内の前記データを復号するステップであって、
前記RVパターンが、前のRRCシグナリングの中で前記UEと前記基地局の間で合意されており、
前記データの前記決定されたRVの初期送信が、前記RVパターンのうちのRVインデックス0で送信される、ステップと
を含む、方法。
【請求項５】
前記決定が、
前記時間と関連付けられた直交周波数分割多重化(OFDM)シンボルインデックス、
前記時間と関連付けられたミニスロットインデックス、または
前記時間と関連付けられたスロットインデックス
に基づく、請求項4に記載の方法。
【請求項６】
時間のRVへのマッピングを示す無線リソース制御(RRC)シグナリングを送信するステップ、または
時間のRVへのマッピングを示すレイヤ1(L1)シグナリングを送信するステップ
をさらに含む、請求項4に記載の方法。
【請求項７】
グラントフリー(GF)アップリンク(UL)送信に関してインクリメンタル冗長を使用するワイヤレス通信のための方法であって、
K回の反復されるアップリンク(UL)送信を送信するための時間を、前記K回の反復されるUL送信のグループ内で送信されるべきデータのいくつかの冗長バージョン(RV)のうちの1つに基づいて決定するステップであって、
前記RVが、RVパターンから選択される値に基づいて決定される、ステップと、
前記決定された時間においてワイヤレス媒体を介して冗長バージョンパターンに基づいて、前記K回の反復されるUL送信を送信するステップであって、
前記RVパターンが、前のRRCシグナリングの中でユーザ機器(UE)と基地局の間で合意されており、
前記データの前記決定されたRVの初期送信が、前記RVパターンのうちのRVインデックス0で送信される、ステップと
を含む方法。
【請求項８】
前記決定が、
前記RVと関連付けられた直交周波数分割多重化(OFDM)シンボルインデックス、
前記時間と関連付けられたミニスロットインデックス、または
前記RVと関連付けられたスロットインデックス
に基づく、請求項7に記載の方法。
【請求項９】
RVの時間へのマッピングを示す無線リソース制御(RRC)シグナリングを受信するステップ、または
RVの時間へのマッピングを示すレイヤ1(L1)シグナリングを受信するステップ
をさらに含む、請求項7に記載の方法。
【請求項１０】
グラントフリー(GF)アップリンク(UL)送信に関してインクリメンタル冗長を使用する、ネットワーク内のユーザ機器(UE)におけるワイヤレス通信のための装置であって、
送信内で送信されるべきデータのいくつかの冗長バージョン(RV)のうちの1つを、前記送信の時間に基づいて決定することであって、
前記RVが、RVパターンから選択される値に基づいて決定される、決定することと、
前記時間においてワイヤレス媒体を介して基地局へ、前記決定されたRVの前記データを前記装置に送信させることであって、
前記RVパターンが、前のRRCシグナリングの中で前記UEと前記基地局の間で合意されており、
前記データの前記決定されたRVの初期送信が、前記RVパターンのうちのRVインデックス0で送信される、送信させることと
を行うように構成されたプロセッサと、
前記プロセッサに結合されたメモリと
を備える、装置。
【請求項１１】
前記プロセッサが、
前記時間と関連付けられた直交周波数分割多重化(OFDM)シンボルインデックス、
前記時間と関連付けられたミニスロットインデックス、または
前記時間と関連付けられたスロットインデックス
に基づいて、前記送信内で送信されるべきデータの前記RVを決定するように構成される、請求項10に記載の装置。
【請求項１２】
前記プロセッサが、
時間のRVへのマッピングを示す無線リソース制御(RRC)シグナリングを前記装置に受信させるように構成されるか、または、
時間のRVへのマッピングを示すレイヤ1(L1)シグナリングを前記装置に受信させるように構成される、請求項10に記載の装置。
【請求項１３】
グラントフリー(GF)アップリンク(UL)送信に関してインクリメンタル冗長を使用する、ネットワーク内の基地局におけるワイヤレス通信のための装置であって、
ワイヤレス媒体を介してユーザ機器(UE)に関する送信を前記装置に受信させること、
前記送信内のデータのいくつかの冗長バージョン(RV)のうちの1つを、前記送信の時間に基づいて決定することであって、
前記RVが、RVパターンから選択される値に基づいて決定される、決定することと、
前記決定されたRVに基づいて前記送信内の前記データを復号することであって、
前記RVパターンが、前のRRCシグナリングの中で前記UEと前記基地局の間で合意されており、
前記データの前記決定されたRVの初期送信が、前記RVパターンのうちのRVインデックス0で送信される、復号することと
を行うように構成されたプロセッサと、
前記プロセッサに結合されたメモリと
を備える、装置。
【請求項１４】
前記プロセッサが、
前記時間と関連付けられた直交周波数分割多重化(OFDM)シンボルインデックス、
前記時間と関連付けられたミニスロットインデックス、または
前記時間と関連付けられたスロットインデックス
に基づいて、前記送信内のデータの前記RVを決定するように構成される、請求項13に記載の装置。
【請求項１５】
前記プロセッサが、
時間のRVへのマッピングを示す無線リソース制御(RRC)シグナリングを前記装置に送信させるように構成されるか、または
時間のRVへのマッピングを示すレイヤ1(L1)シグナリングを前記装置に送信させるように構成される、請求項13に記載の装置。
【請求項１６】
グラントフリー(GF)アップリンク(UL)送信に関してインクリメンタル冗長を使用する、ネットワーク内のユーザ機器(UE)におけるワイヤレス通信のための装置であって、
K回の反復されるアップリンク(UL)送信を送信するための時間を、前記K回の反復されるアップリンク(UL)送信のグループ内で送信されるべきデータのいくつかの冗長バージョン(RV)のうちの1つに基づいて決定することであって、
前記RVが、RVパターンから選択される値に基づいて決定される、決定することと、
前記決定された時間においてワイヤレス媒体を介して前記RVパターンに基づいて、前記K回の反復されるUL送信を前記装置に送信させることであって、
前記RVパターンが、前のRRCシグナリングの中で前記UEと基地局の間で合意されており、
前記データの前記決定されたRVの初期送信が、前記RVパターンのうちのRVインデックス0で送信される、送信させることと
を行わせるように構成されたプロセッサと、
前記プロセッサに結合されたメモリとを備える、装置。
【請求項１７】
前記プロセッサが、
前記RVと関連付けられた直交周波数分割多重化(OFDM)シンボルインデックス、
前記時間と関連付けられたミニスロットインデックス、または
前記RVと関連付けられたスロットインデックス
に基づいて、前記K回の反復されるUL送信を送信するための前記時間を決定するように構成される、請求項16に記載の装置。
【請求項１８】
前記プロセッサが、
RVの時間へのマッピングを示す無線リソース制御(RRC)シグナリングを前記装置に受信させるように構成されるか、または
RVの時間へのマッピングを示すレイヤ1(L1)シグナリングを前記装置に受信させるように構成される、請求項16に記載の装置。